(57)【要約】【課題】  バックライトユニット及び液晶表示装置において、遮光フレームに反射シートを貼り付けた場合に接着部分からの光漏れを防止すること。【解決手段】  ＬＥＤ光源から入射された光を導光すると共に光路変換して上面から液晶表示パネル２に対して面状の照明光を出射する導光板３と、該導光板３の外周部を支持する枠状の遮光フレーム４と、導光板３の下面に配された反射シート８と、該反射シート８と遮光フレーム４の下面との間に介在しこれらを互いに貼り付ける両面接着材９と、を備え、該両面接着材９が、不透明な遮光性材料で形成されている。【選択図】  図２
2009301912.tif 000002
【特許請求の範囲】
【請求項１】
光源から入射された光を導光すると共に光路変換して上面から照明対象物に対して面状の照明光を出射する導光板と、
該導光板の外周部を支持する枠状の遮光フレームと、
前記導光板の下面に配された反射シートと、
該反射シートと前記遮光フレームの下面との間に介在しこれらを互いに貼り付ける両面接着材と、を備え、
該両面接着材が、不透明な遮光性材料で形成されていることを特徴とするバックライトユニット。
【請求項２】
請求項１に記載のバックライトユニットにおいて、
前記両面接着材が、黒色又は白色の遮光性材料で形成されていることを特徴とするバックライトユニット。
【請求項３】
請求項１又は２に記載のバックライトユニットにおいて、
前記両面接着材が、不透明な遮光性フィルムで形成された基材層と、
該基材層の両側に不透明な遮光性粘着材料で形成された粘着材層と、で構成された両面テープであることを特徴とするバックライトユニット。
【請求項４】
液晶表示パネルと、
前記液晶表示パネルの裏面側に配された請求項１から３のいずれか一項に記載のバックライトユニットと、を備えていることを特徴とする液晶表示装置。
【発明の詳細な説明】
【技術分野】
【０００１】
本発明は、液晶表示パネルなどを照明するバックライトユニット及び液晶表示装置に関する。
【背景技術】
【０００２】
携帯電話機、ＰＤＡ、モバイルタイプＰＣ（パーソナルコンピュータ）、ＡＴＭ（現金自動預け払い機）等のディスプレイには、画像表示のための液晶表示装置が広く採用されている。この液晶表示装置には、液晶表示パネルの裏面側から光を照射して表示画面の輝度を高めるバックライトユニットが用いられている。
【０００３】
このバックライトユニットには、蛍光管やＬＥＤ等の光源からの光を導光して主面全体から液晶表示パネルに向けて出射させる導光板が用いられている。従来のバックライトユニットでは、導光板の下面（裏面）に反射シートを設け、導光板から出た光を反射させて導光板内に戻すことで、導光板の輝度を向上させている。例えば、特許文献１には、枠状の筐体である遮光フレーム内部に導光板を配し、導光板の下面側に配した反射シートを遮光フレームの底面に両面テープ（両面接着シート）で接着固定したバックライトが提案されている。
【０００４】
【特許文献１】特開２００７−２０６５４６号公報（図１）
【発明の開示】
【発明が解決しようとする課題】
【０００５】
しかしながら、上記従来の技術には、以下の課題が残されている。
近年、最終製品の軽量化、薄型化のため、導光板及び各光学シートを含むバックライトユニット全体が薄型化されたことに伴い、遮光フレームも薄型化されてきている。そのため、特許文献１のように、底面を反射シートで代用した遮光フレームが検討されているが、反射シートを貼り付ける両面テープの厚みが一定であり、かつ透明であるため、両面テープを介して遮光フレームの外側に光が漏れ出てしまい、遮光フレームの遮光効果を低減させてしまうおそれがあった。このような光漏れが発生すると、バックライトユニット周辺に設けられた操作キー等の部品へ光が漏れてしまい、機器として照明効果及び視覚的品位の低下を招くおそれがあった。
【０００６】
本発明は、前述の課題に鑑みてなされたもので、遮光フレームに反射シートを貼り付けた場合に接着部分からの光漏れを防止することができるバックライトユニット及び液晶表示装置を提供することを目的とする。
【課題を解決するための手段】
【０００７】
本発明は、前記課題を解決するために以下の構成を採用した。すなわち、本発明のバックライトユニットは、光源から入射された光を導光すると共に光路変換して上面から照明対象物に対して面状の照明光を出射する導光板と、該導光板の外周部を支持する枠状の遮光フレームと、前記導光板の下面に配された反射シートと、該反射シートと前記遮光フレームの下面との間に介在しこれらを互いに貼り付ける両面接着材と、を備え、該両面接着材が、不透明な遮光性材料で形成されていることを特徴とする。
【０００８】
このバックライトユニットでは、反射シートと遮光フレームの下面との間に介在しこれらを互いに貼り付ける両面接着材が、不透明な遮光性材料で形成されているので、遮光機能を付加された両面接着材によって遮光フレーム内の光が遮光されて外部に漏れることを防ぐことができる。
【０００９】
また、本発明のバックライトユニットは、前記両面接着材が、黒色又は白色の遮光性材料で形成されていることを特徴とする。すなわち、このバックライトユニットでは、両面接着材が、黒色又は白色の遮光性材料で形成されているので、両面接着材が黒色の遮光性材料であれば、遮光フレーム内の光を効果的に遮光し、また両面接着材が白色の遮光性材料であれば、遮光フレーム内の光を遮光すると共に内側に反射して輝度の向上を図ることができる。
【００１０】
また、本発明のバックライトユニットは、前記両面接着材が、不透明な遮光性フィルムで形成された基材層と、該基材層の両側に不透明な遮光性粘着材料で形成された粘着材層と、で構成された両面テープであることを特徴とする。すなわち、このバックライトユニットでは、両面接着材が、それぞれ不透明な基材層及び粘着材層とで構成された両面テープであるので、表面だけが遮光性材料で不透明にされたテープや、基材層だけ又は粘着材層だけが不透明にされたテープに比べ、全体が不透明となることで高い遮光性を得ることができる。
【００１１】
本発明の液晶表示装置は、液晶表示パネルと、前記液晶表示パネルの裏面側に配された上記本発明のバックライトユニットと、を備えていることを特徴とする。すなわち、この液晶表示装置では、液晶表示パネルの裏面側に上記本発明のバックライトユニットを備えているので、バックライトユニット周辺に配された操作キー等の部品へ光が漏れることを防ぎ、機器として照明効果及び視覚的品位を向上させることができる。
【発明の効果】
【００１２】
本発明によれば、以下の効果を奏する。
すなわち、本発明に係るバックライトユニットによれば、反射シートと遮光フレームの下面との間に介在しこれらを互いに貼り付ける両面接着材が、不透明な遮光性材料で形成されているので、遮光機能を付加された両面接着材によって遮光フレーム内の光が遮光されて外部に漏れることを防ぐことができる。したがって、このバックライトユニットを備えた本発明の液晶表示装置によれば、バックライトユニット周辺に配された操作キー等の部品へ光が漏れることを防ぎ、機器として照明効果及び視覚的品位を向上させることができる。
【発明を実施するための最良の形態】
【００１３】
以下、本発明に係るバックライトユニット及び液晶表示装置の一実施形態を、図１から図４に基づいて説明する。なお、以下の説明に用いる各図面では、各部材を認識可能な大きさとするために縮尺を適宜変更している。
【００１４】
本実施形態におけるバックライトユニット１は、図１から図３に示すように、液晶表示パネル２を照明するものであって、ＬＥＤ光源（光源）Ｌと、該ＬＥＤ光源Ｌから入射された光を導光すると共に光路変換して上面から照明対象物である液晶表示パネル２に対して面状の照明光を出射する導光板３と、該導光板３の外周部を支持する矩形枠状の遮光フレーム４と、導光板３上に積層されると共に遮光フレーム４内に配された拡散シート５、第１プリズムシート６Ａ及び第２プリズムシート６Ｂと、遮光フレーム４に外周部が貼り付けられ第２プリズムシート６Ｂ上に積層されるリムシート７と、導光板３の下面に配された反射シート８と、該反射シート８と遮光フレーム４の下面との間に介在しこれらを互いに貼り付ける両面接着材９と、を備えている。
【００１５】
また、本実施形態の液晶表示装置１０は、携帯電話機等の液晶ディスプレイに適用される液晶表示装置であって、液晶表示パネル２と、液晶表示パネル２の裏面側に配された上記バックライトユニット１と、を備えている。
なお、本実施形態では、液晶表示パネル２の画面側及びバックライトユニット１の光出射面側を表面側又は上面側として記載している。
【００１６】
上記ＬＥＤ光源Ｌは、例えば導光板３の入射面である側端面に向けて光を出射可能に光源用の実装基板（図示略）に実装された白色ＬＥＤである。なお、図１中の符号１１は、ＬＥＤ光源Ｌに接続されるＦＰＣである。
この白色ＬＥＤは、例えば基板上の半導体発光素子を樹脂材で封止したものであり、半導体発光素子として、例えば青色（波長λ：４７０〜４９０ｎｍ）ＬＥＤ素子又は紫外光（波長λ：４７０ｎｍ未満）ＬＥＤ素子であって、例えばサファイア基板などの絶縁性基板上に窒化ガリウム系化合物半導体（例えばＩｎＧａＮ系化合物半導体）の複数の半導体層が積層されて形成されたものである。
【００１７】
また、この半導体発光素子を封止する樹脂材は、シリコーン樹脂を主剤とし、例えばＹＡＧ蛍光体が添加されている。このＹＡＧ蛍光体は、半導体発光素子からの青色光又は紫外光を黄色光に変換させて混色効果により白色光を生じさせるものである。なお、白色ＬＥＤとしては、上記以外でも種々のものが採用可能である。
【００１８】
上記導光板３は、例えば透光性の樹脂材料で構成されその側端面から入射されたＬＥＤ光源Ｌからの光を導光すると共に光路変換してその主面（本実施形態では上面）から液晶表示パネル２に対して面状の照明光を出射する薄板状又はシート状の薄型導光板である。
なお、導光板３の表面には、凸状ドットやプリズム等の光路変換を行う複数の微細光学形状を形成しても構わない。
【００１９】
上記遮光フレーム４は、合成樹脂材料等により射出成形で矩形枠状に形成されている。この遮光フレーム４の内側には、段差部４ａが形成されており、段差部４ａ上に上記リムシート７が貼り付けられてその上に液晶表示パネル２が設置される。
このリムシート７は、液晶表示パネル２とバックライトユニット１との接合に用いる両面テープであって、遮光及び反射の機能を有している。
上記拡散シート５は、例えば、アクリル樹脂やポリカーボネイト樹脂などの透明樹脂にシリカ粒子などを分散させたシートである。
【００２０】
上記第１プリズムシート６Ａは、拡散シート５上に配され、上記第２プリズムシート６Ｂは、第１プリズムシート６Ａ上に配されている。第１プリズムシート６Ａ及び第２プリズムシート６Ｂは、拡散シート５からの光を上面側に集光するための透明シート状の部材であり、平行な複数の稜線を有するプリズム部を上面側に有している。また、第１プリズムシート６Ａは、ＬＥＤ光源Ｌの光軸に対して、プリズム部の稜線がねじれの位置に設定され、特に、上方への高い指向性が得られる方向として、ＬＥＤ光源Ｌの光軸に直交する方向と平行に設定される。また、第２プリズムシート６Ｂは、ＬＥＤ光源Ｌの光軸に対して、プリズム部の稜線が平行に設定されている。すなわち、第１プリズムシート６Ａと第２プリズムシート６Ｂとは、互いのプリズム部の稜線がねじれの位置に配され、平面視で互いに稜線が直交している。
【００２１】
上記反射シート８は、光反射機能を有する金属板、フィルム、箔等であって、本実施形態では銀蒸着膜を設けたフィルムが採用されている。なお、上記銀蒸着膜の代わりに、アルミ金属蒸着膜などを採用しても構わない。
【００２２】
上記液晶表示パネル２は、透過型又は半透過型の液晶表示パネルが採用される。例えば、半透過型の液晶表示パネル２の場合、透明電極、配向膜及び偏光板をそれぞれ有する上基板と下基板との間隙にＴＮ液晶やＳＴＮ液晶等の液晶をシール材で封止したパネル本体と、その下面側に光透過性と光反射性の両機能を持った半透過反射板と、を備えたものである。
【００２３】
上記両面接着材９は、黒色又は白色の不透明な遮光性材料で形成され、遮光フレーム４の下面形状に対応して反射シート８の外縁部に沿って帯状に設けられている。この両面接着材９は、図４に示すように、不透明な遮光性フィルムで形成された基材層９ａと、該基材層９ａの両側に不透明な遮光性粘着材料で形成された粘着材層９ｂと、で構成された両面テープである。
上記基材層９ａは、例えば黒色又は白色の顔料を含むＰＥＴ又はポリエステルフィルム等で形成されている。また、粘着材層９ｂは、例えば黒色又は白色の顔料を含むアクリル樹脂等の遮光性粘着材料で形成されている。
【００２４】
このように本実施形態のバックライトユニット１では、反射シート８と遮光フレーム４の下面との間に介在しこれらを互いに貼り付ける両面接着材９が、不透明な遮光性材料で形成されているので、遮光機能を付加された両面接着材９によって遮光フレーム４内の光が遮光されて外部に漏れることを防ぐことができる。
特に、両面接着材９が、黒色又は白色の遮光性材料で形成されているので、両面接着材９が黒色の遮光性材料であれば、遮光フレーム４内の光を効果的に遮光し、また両面接着材９が白色の遮光性材料であれば、遮光フレーム４内の光を遮光すると共に内側に反射して輝度の向上を図ることができる。
【００２５】
さらに、両面接着材９が、それぞれ不透明な基材層９ａ及び粘着材層９ｂとで構成された両面テープであるので、表面だけが遮光性材料で不透明にされたテープや、基材層だけ又は粘着材層だけが不透明にされたテープに比べ、全体が不透明となることで高い遮光性を得ることができる。
したがって、このバックライトユニット１を備えた液晶表示装置１０では、バックライトユニット１周辺に配された操作キー等の部品へ光が漏れることを防ぎ、機器として照明効果及び視覚的品位を向上させることができる。
【００２６】
なお、本発明は上記実施形態に限定されるものではなく、本発明の趣旨を逸脱しない範囲において種々の変更を加えることができる。
【００２７】
例えば、上記実施形態の基材層及び粘着材層は、黒色又は白色の顔料を含む不透明な遮光性材料で形成することが好ましいが、他の不透明な色で着色しても構わない。また、反射粒子としてＡｇ粒子を含有させて高い反射効果を付加しても構わない。
また、上記実施形態では、拡散シートを用いているが、拡散シートを省略したバックライトユニットとしても構わない。また、２枚のプリズムシートを用いているが、１枚のプリズムシートを採用したバックライトユニットとしても構わない。
【００２８】
また、上記実施形態では、光源としてＬＥＤ光源を採用しているが、蛍光管等の他の光源を用いても構わない。
また、上記実施形態では、本発明を携帯電話機に適用したが、他の電子機器に採用しても構わない。例えば、ＰＤＡ、モバイルタイプＰＣ（パーソナルコンピュータ）等の各種電子機器に適用可能である。
【図面の簡単な説明】
【００２９】
【図１】本発明に係るバックライトユニット及び液晶表示装置の一実施形態において、バックライトユニットの反射シートと遮光フレームと両面接着材とを示す分解斜視図である。
【図２】本実施形態において、液晶表示装置を示す要部の拡大断面図である。
【図３】本実施形態において、液晶表示装置を示すＬＥＤ光源周辺の拡大断面図である。
【図４】本実施形態において、反射シート上の両面接着材を示す拡大断面図である。
【符号の説明】
【００３０】
１…バックライトユニット、２…液晶表示パネル、３…導光板、４…遮光フレーム、５…拡散シート、６Ａ…第１プリズムシート、６Ｂ…第２プリズムシート、８…反射シート、９…両面接着材、９ａ…基材層、９ｂ…粘着材層、１０…液晶表示装置、Ｌ…ＬＥＤ光源（光源）
【図１】
2009301912.tif 000003
【図２】
2009301912.tif 000004
【図３】
2009301912.tif 000005
【図４】
2009301912.tif 000006